(57)【要約】【課題】筐体の放熱性と気密性を確保するとともに、内部機器と外部コネクタとの間を流れる信号の品質を維持することができる電子装置を提供する。【解決手段】基地局１０は、開口部１７を有する筐体（上ケース１１、下ケース１２）と、下ケース１２の内壁に密着固定される無線モジュール１３と、一端１４ａが無線モジュール１３に直接接続され、他端１４ｂが開口部１７を貫通して筐体の外部に突出する棒状のアンテナコネクタ１４と、筐体の外壁のうち開口部１７を取り囲む領域に配置される枠状のベースパッキン１８と、ベースパッキン１８を筐体の外壁に押圧するベースブッシュ１９と、アンテナコネクタ１４の外周を取り囲むようアンテナコネクタ１４とベースブッシュ１９との間隙に挿入される枠状のキャップパッキン２６と、ベースブッシュ１９を介してキャップパッキン２６をアンテナコネクタ１４の外周面に押圧するキャップブッシュ２２と、を含む。【選択図】図２
2010231906.tif 000002
【特許請求の範囲】
【請求項１】
開口部を有する筐体と、
前記筐体の内壁に密着固定される内部機器と、
一端が前記内部機器に直接接続され、他端が前記開口部を貫通して前記筐体の外部に突出する棒状の外部コネクタと、
前記筐体の外壁のうち前記開口部を取り囲む領域に配置される枠状の第１パッキンと、
前記外部コネクタを貫通させる貫通孔を有し、前記第１パッキンを前記筐体の外壁に押圧する第１ブッシュと、
前記外部コネクタの外周を取り囲むよう前記外部コネクタと前記第１ブッシュとの間隙に挿入される枠状の第２パッキンと、
前記外部コネクタを貫通させる貫通孔を有し、前記第１ブッシュを介して前記第２パッキンを前記外部コネクタの外周面に押圧する第２ブッシュと、
を含み、
前記外部コネクタの他端に外部機器が接続される、
ことを特徴とする電子装置。
【請求項２】
請求項１に記載の電子装置において、
前記第１ブッシュの貫通孔の内周面には、前記外部コネクタの外周面に形成された雄ネジ部に螺合する雌ネジ部が形成されており、
前記第１ブッシュは、前記第１ブッシュの雌ネジ部が前記外部コネクタの雄ネジ部に螺合することにより、前記第１パッキンを前記筐体の外壁に押圧する、
ことを特徴とする電子装置。
【請求項３】
請求項１または２に記載の電子装置において、
前記第２ブッシュの貫通孔の内周面には、前記第１ブッシュの外周面に形成された雄ネジ部に螺合する雌ネジ部と、前記外部コネクタの外周方向に傾斜するテーパ部と、が形成されており、
前記第２ブッシュのテーパ部は、前記第２ブッシュの雌ネジ部が前記第１ブッシュの雄ネジ部に螺合することにより、前記第２パッキンを前記外部コネクタの外周面に押圧する、
ことを特徴とする電子装置。
【請求項４】
請求項１から３のいずれかに記載の電子装置において、
前記外部コネクタは、金属または導電性樹脂で形成されている、
ことを特徴とする電子装置。
【請求項５】
請求項１から４のいずれかに記載の電子装置において、
前記内部機器は、無線モジュールであり、
前記外部機器は、前記外部コネクタの他端に接続されるアンテナである、
ことを特徴とする電子装置。
【発明の詳細な説明】
【技術分野】
【０００１】
本発明は、主に屋外に設置される電子装置に関する。
【背景技術】
【０００２】
屋外に設置される電子装置の筐体には、筐体内部で生じる熱を筐体外部に放散する放熱性と防水・防塵のための気密性とが同時に要求される。
【０００３】
また、たとえば屋外設置用の基地局のように、筐体内に配置された無線モジュールなどの内部機器と、アンテナなどの外部機器が接続される外部コネクタと、が何らかの導電媒体によって接続される電子装置では、筐体の放熱性と気密性に加えて、組み立ての容易性も要求される。
【０００４】
この点、特許文献１には、筐体の放熱性を維持するため筐体内面に密着した状態で固定された内部機器と、筐体の気密性を維持するため筐体壁に隙間なく固定された外部コネクタと、がケーブルで接続された基地局が開示されている。この基地局は、筐体に固定された内部機器と外部コネクタとが配線自由度の高いケーブルで接続されるため、組み立ても容易である。
【先行技術文献】
【特許文献】
【０００５】
【特許文献１】特開２００８−１６４８７１号公報
【発明の概要】
【発明が解決しようとする課題】
【０００６】
しかしながら、特許文献１に記載の基地局のように、内部機器と外部コネクタとがケーブルで接続される電子装置では、ケーブルロスによって内部機器と外部コネクタとの間を流れる信号の伝送効率が低下してしまうという問題がある。
【０００７】
本発明は、筐体の放熱性と気密性を確保するとともに、内部機器と外部コネクタとの間を流れる信号の品質を維持することができる電子装置を提供することを目的とする。
【課題を解決するための手段】
【０００８】
上記課題を解決するために、本発明に係る電子装置は、開口部を有する筐体と、前記筐体の内壁に密着固定される内部機器と、一端が前記内部機器に直接接続され、他端が前記開口部を貫通して前記筐体の外部に突出する棒状の外部コネクタと、前記筐体の外壁のうち前記開口部を取り囲む領域に配置される枠状の第１パッキンと、前記外部コネクタを貫通させる貫通孔を有し、前記第１パッキンを前記筐体の外壁に押圧する第１ブッシュと、前記外部コネクタの外周を取り囲むよう前記外部コネクタと前記第１ブッシュとの間隙に挿入される枠状の第２パッキンと、前記外部コネクタを貫通させる貫通孔を有し、前記第１ブッシュを介して前記第２パッキンを前記外部コネクタの外周面に押圧する第２ブッシュと、を含み、前記外部コネクタの他端に外部機器が接続されることを特徴とする。
【０００９】
本発明によれば、内部機器が電子装置筐体の内壁に密着固定されるため、内部機器で生じる熱は筐体を介して外部に放散される。また、筐体とその開口部を貫通する棒状の外部コネクタとの間隙は、第１ブッシュにより筐体の外壁に押圧される第１パッキンと、第２ブッシュにより第１ブッシュを介して外部コネクタの外周面に押圧される第２パッキンと、により完全に塞がれる。さらに、外部機器が接続される外部コネクタは、信号の劣化を抑制するため内部機器に直接接続されている。このため、電子装置は、筐体の放熱性と気密性を確保するとともに、内部機器と外部コネクタとの間を流れる信号の品質を維持することができる。
【００１０】
また、本発明の一態様では、前記第１ブッシュの貫通孔の内周面には、前記外部コネクタの外周面に形成された雄ネジ部に螺合する雌ネジ部が形成されており、前記第１ブッシュは、前記第１ブッシュの雌ネジ部が前記外部コネクタの雄ネジ部に螺合することにより、前記第１パッキンを前記筐体の外壁に押圧する。
【００１１】
また、本発明の一態様では、前記第２ブッシュの貫通孔の内周面には、前記第１ブッシュの外周面に形成された雄ネジ部に螺合する雌ネジ部と、前記外部コネクタの外周方向に傾斜するテーパ部と、が形成されており、前記第２ブッシュのテーパ部は、前記第２ブッシュの雌ネジ部が前記第１ブッシュの雄ネジ部に螺合することにより、前記第２パッキンを前記外部コネクタの外周面に押圧する。
【００１２】
また、本発明の一態様では、前記外部コネクタは、金属または導電性樹脂で形成されている。
【００１３】
また、本発明の一態様では、前記内部機器は、無線モジュールであり、前記外部機器は、前記外部コネクタの他端に接続されるアンテナである。
【図面の簡単な説明】
【００１４】
【図１】本発明の実施形態に係る基地局の外観を示す斜視図である。
【図２】図１に示す基地局のII−II線断面図である。
【図３】気密防水ブッシュの拡大断面図である。
【図４】気密防水ブッシュの分解図である。
【発明を実施するための形態】
【００１５】
以下、本発明の一実施形態を図面に基づいて詳細に説明する。
【００１６】
図１は、本発明の実施形態に係る基地局１０の構成を示す図である。図２は、図１に示す基地局１０のII−II線断面図である。これらの図に示すように、基地局１０は、筐体（上ケース１１および下ケース１２）と、無線モジュール１３と、アンテナコネクタ１４（外部コネクタ）と、気密防水ブッシュ１５（ベースパッキン１８、ベースブッシュ１９、キャップブッシュ２２、キャップパッキン２６）と、を含んで構成される。
【００１７】
基地局１０の筐体は、上ケース１１と下ケース１２とからなり、その中に無線モジュール１３を収納する。上ケース１１と下ケース１２とは隙間なく密着しているが、下ケース１２には、棒状（ここでは円柱状）のアンテナコネクタ１４を貫通させるための開口部１７が設けられている。
【００１８】
アンテナコネクタ１４は、無線モジュール１３と基地局１０の外部機器であるアンテナとを電気的に接続するための導電部材であり、たとえば金属または導電性樹脂で形成される。アンテナコネクタ１４の一端１４ａは、無線モジュール１３に直接接続されている。一方、アンテナコネクタ１４の他端１４ｂは、基地局１０の外部機器であるアンテナが接続されるよう、開口部１７を貫通して筐体の外部に突出している。
【００１９】
また、アンテナコネクタ１４の外周面には、後述するベーブブッシュ１９の雌ネジ部２０に螺合する雄ネジ部２７が形成されている。
【００２０】
無線モジュール１３は、アンテナで送受される無線信号を処理するための回路要素を含む内部機器であり、下ケース１２の内壁（ここでは底面）に密着した状態でネジなどにより固定される。
【００２１】
なお、無線モジュール１３は、無線モジュール１３に接続されたアンテナコネクタ１４を下ケース１２の開口部１７に貫通させてから、下ケース１２の内壁に取り付けられる。このため、開口部１７は、無線モジュール１３を取り付ける最中にアンテナコネクタ１４が下ケース１２に接触しない程度の大きさに形成されている。すなわち、開口部１７とそれを貫通するアンテナコネクタ１４との間には、無線モジュール１３の取り付け自由度を確保するための間隙が設けられている。
【００２２】
次に、下ケース１２の開口部１７とアンテナコネクタ１４との間隙を塞ぐための気密防水ブッシュ１５について詳細に説明する。
【００２３】
図３は、気密防水ブッシュ１５の拡大断面図である。図４は、気密防水ブッシュ１５の分解図である。これらの図に示すように、気密防水ブッシュ１５は、ベースパッキン１８（第１パッキン）と、ベースブッシュ１９（第１ブッシュ）と、キャップブッシュ２２（第２ブッシュ）と、キャップパッキン２６（第２パッキン）と、から構成される。
【００２４】
ベースパッキン１８は、下ケース１２の外壁のうち開口部１７を取り囲む領域に配置される枠状（ここでは環状）のパッキンである。ベースパッキン１８は、アンテナコネクタ１４の断面形状に対応した貫通孔を有しており、アンテナコネクタ１４の他端１４ｂから下ケース１２方向にはめ込まれるようになっている。
【００２５】
ベースブッシュ１９は、ベースパッキン１８を下ケース１２の外壁に押圧するための部材であり、アンテナコネクタ１４を貫通させる貫通孔を有している。また、ベースブッシュ１９の貫通孔の内周面には、アンテナコネクタ１４の雄ネジ部２７に螺合する雌ネジ部２０が形成されている。この雌ネジ部２０がアンテナコネクタ１４の雄ネジ部２７にねじ込まれることにより、ベースブッシュ１９が下ケース１２方向に移動し、ベースパッキン１８はベースブッシュ１９によって下ケース１２の外壁に押しつけられる。
【００２６】
また、ベースブッシュ１９のベースパッキン１８を押圧する側と反対側の端には、複数の短冊状の切り欠きを有するパッキン押圧部２５が形成されている。これらの切り欠きは、パッキン押圧部２５に可撓性を与えるためのものである。ベースブッシュ１９の外周面（パッキン押圧部２５の根本付近）には、後述するキャップブッシュ２２の雌ネジ部２３に螺合する雄ネジ部２１が形成されている。
【００２７】
キャップパッキン２６は、アンテナコネクタ１４の外周を取り囲むようアンテナコネクタ１４とベースブッシュ１９（主にパッキン押圧部２５）との間隙に挿入される枠状（ここでは環状または円筒状）のパッキンである。
【００２８】
キャップブッシュ２２は、ベースブッシュ１９を介してキャップパッキン２６をアンテナコネクタ１４の外周面に押圧するための部材であり、アンテナコネクタ１４を貫通させる貫通孔を有している。また、キャップブッシュ２２の貫通孔の内周面には、ベースブッシュ１９の外周面に形成された雄ネジ部２１に螺合する雌ネジ部２３と、アンテナコネクタ１４の外周方向に傾斜するテーパ部２４と、が形成されている。この雌ネジ部２３がベースブッシュ１９の雄ネジ部２１にねじ込まれることにより、テーパ部２４がベースブッシュ１９のパッキン押圧部２５をアンテナコネクタ１４の外周方向に押しつけ、その結果キャップパッキン２６はアンテナコネクタ１４の外周面に押しつけられる。
【００２９】
このようにして、下ケース１２の開口部１７とアンテナコネクタ１４との間隙は、ベースブッシュ１９により下ケース１２の外壁に押圧されるベースパッキン１８と、キャップブッシュ２２によりパッキン押圧部２５を介してアンテナコネクタ１４の外周面に押圧されるキャップパッキン２６と、により完全に塞がれる。
【００３０】
なお、ベースパッキン１８およびキャップパッキン２６は、シリコーン（ケイ素樹脂）などの弾性材料で形成されることが望ましい。
【００３１】
以上説明した実施形態によれば、無線モジュール１３が基地局１０の筐体（下ケース１２）の内壁に密着固定されるため、無線モジュール１３で生じる熱は筐体を介して外部に放散される。また、下ケース１２とその開口部１７を貫通する棒状のアンテナコネクタ１４との間隙は、ベースブッシュ１９により下ケース１２の外壁に押圧されるベースパッキン１８と、キャップブッシュ２２によりベースブッシュ１９（パッキン押圧部２５）を介してアンテナコネクタ１４の外周面に押圧されるキャップパッキン２６と、で完全に塞がれる。さらに、アンテナが接続されるアンテナコネクタ１４は、信号の劣化を抑制するため無線モジュール１３に直接接続されている。
【００３２】
このため、基地局１０は、筐体の放熱性と気密性を確保するとともに、無線モジュール１３とアンテナコネクタ１４との間を流れる信号の品質を維持することができる。また、下ケース１２の開口部１７とそれを貫通するアンテナコネクタ１４との間には、無線モジュール１３の取り付け自由度を確保するための間隙が設けられているため、基地局１０の組み立ても容易である。
【００３３】
なお、本発明は、上記実施形態に限定されるものではない。たとえば、アンテナコネクタ１４の形状は、円柱状に限らず、四角柱状（多角柱状）であってもよい。また、ベースパッキン１８やキャップパッキン２６の形状は、環状に限らず、アンテナコネクタ１４の断面形状に対応した枠形状であればよい。もちろん、ベースブッシュ１９がベースパッキン１８を押圧する機構およびキャップブッシュ２２がキャップパッキン２６を押圧する機構として、ネジ止め以外の機構を採用してもよい。
【００３４】
また、本発明は、基地局に限らず、主に屋内に設置される電子機器全般に広く適用可能である。
【符号の説明】
【００３５】
１０  基地局、１１  上ケース、１２  下ケース、１３  無線モジュール、１４  アンテナコネクタ、１５  気密防水ブッシュ、１７  開口部、１８  ベースパッキン、１９  ベースブッシュ、２０  雌ネジ部、２１  雄ネジ部、２２  キャップブッシュ、２３  雌ネジ部、２４  テーパ部、２５  パッキン押圧部、２６  キャップパッキン、２７  雄ネジ部。
【図１】
2010231906.tif 000003
【図２】
2010231906.tif 000004
【図３】
2010231906.tif 000005
【図４】
2010231906.tif 000006